(57)【要約】      （修正有）【課題】地震の揺れでは簡単にフックから脱落せず、引掛け物を取り出す時は、人の手で簡単に取り外すことが可能なフックを提供する。【解決手段】引掛け物を引掛けるためのフックＫＦであって、該フックは、引掛け部材Ｍと該引掛け部材の後端部に連接して設けられる支持部材Ｈと、該支持部材の後部に設けられている取り付け部材Ｌと、押え部材Ｆと、弾性部材Ｙからフックを形成する。前記押え部材の先端部は引掛け部材の先端部と当接し後端部は前記弾性部材を備えた連結部Ｊを介して支持部材Ｈと連接されており、フックの開時に押え部材先端部が引掛け部材の先端部を離間する方向に負荷を受け前記弾性部材が弾性変形し、フックの閉時に前記負荷が解除され弾性部材の付勢力により押え部材の先端部Ｆ１が引掛け部材先端部Ｍ１に当接することを特徴としてフックを形成する。【選択図】図１
0003181887.tif 000002
【実用新案登録請求の範囲】
【請求項１】
引掛け物を引掛けるためのフックであって、該フックは、引掛け部材と該引掛け部材の後端部に連接して設けられる支持部材と、該支持部材の後部に設けられている取り付け部材と、押え部材と、弾性部材からなるフックであって、前記押え部材の先端部は引掛け部材の先端部と当接し後端部は前記弾性部材を備えた連結部を介して支持部材と連接されており、フックの開時に押え部材先端部が引掛け部材の先端部を離間する方向に負荷を受け前記弾性部材が弾性変形し、フックの閉時に前記負荷が解除され弾性部材の付勢力により押え部材の先端部が引掛け部材先端部に当接することを特徴とするフック。
【請求項２】
前記弾性部材が板ばねであり引掛け部材が横部材と縦部材からなる側面視Ｌ型形状からなり前記押え部材後端部と支持部材との間に前記板ばねが設けられており、フックの開時に押え部材の先端部が上方への負荷を受け、フックの閉時に押え部材先端部が下方へ付勢されることを特徴とする請求項１に記載のフック。
【請求項３】
前記弾性部材がねじりばねであり引掛け部材が横部材と縦部材からなる側面視略Ｌ型形状からなり前記押え部材後端部と支持部材との間に前記ねじりばねが設けられており、前記押え部材後端部と前記支持部材とをつなぐ前記連結部がピンを回転の軸芯とする嵌合凸部とそれに嵌合する嵌合凹部の嵌合回転により前記押え部材先端部が回転し前記ねじりばねの弾性変形によりフック開時に押え部材先端部が引掛け部材の先端部から離間し、開口部が形成されフック開時に開口部が形成されフック閉時に前記ねじりばねの付勢力により押え部材先端部が引掛け部材の先端部に当接し、当接部が形成されることを特徴とする請求項１に記載のフック。
【請求項４】
前記弾性部材が引きばねであり引掛け部材が横部材と縦部材からなる側面視略Ｌ型形状からなり前記押え部材後端部と引掛け部材との間に前記引きばねが設けられており、前記押え部材後端部とをつなぐ前記連結部が蝶番によって連結され該蝶番を回転の軸芯とし前記押え部材の先端部が回転し前記引きばねの弾性変形によりフック開時に開口部が形成されフック閉時に引きばねの付勢力により当接部が形成されることを特徴とする請求項１に記載のフック。
【請求項５】
前記弾性部材がねじりばねであり引掛け部材が側面視略Ｉ型形状の横部材からなり前記押え部材上端部と前記支持部材とをつなぐ前記連結部がピンを回転の軸芯とする嵌合凸部とそれに嵌合する嵌合凹部の嵌合回転により前記押え部材下端部が回動し前記ねじりばねの弾性変形によりフック開時に押え部材下端部が引掛け部材の先端部から離間して、開口部が形成されフック閉時にねじりばねの付勢力により押え部材下端部が引掛け部材の先端部に当接して、当接部が形成されることを特徴とする請求項１に記載のフック。
【請求項６】
前記引掛け物が鍵であることを特徴とする請求項１〜５のいずれかに記載のフック。
【請求項７】
請求項１〜６のいずれかに記載のフックを使用する際、
（１）引掛け物をフックに引掛ける際、押え部材の先端部を保持し、
（２）押え部材先端部が引掛け部材の先端部を離間する方向に弾性部材に負荷をかけ、
（３）フックに開口部をもうけ、
（４）引掛け物を引掛け、
（５）前記押え部材の負荷を解除し、
（６）前記押え部材先端部と引掛け部材の先端部を当接させて当接部を形成させ引掛けを完了させ、
（７）前記引掛け物をフックから外す際、押え部材先端部を保持し、
（８）前記押え部材先端部が引掛け部材の先端部を離間する方向に弾性部材に負荷をかけ、
（９）フックに開口部をもうけ、
（１０）引掛け物を引掛け部材から取り出し、
（１１）前記押え部材の負荷を解除し、
（１２）前記押え部材先端部と引掛け部材の先端部を当接させて当接部を形成させ、取外しを完了させる、以上の手順とすることを特徴とするフックの使用方法。
【考案の詳細な説明】
【技術分野】
【０００１】
本考案は、従来からあるフックでは、鍵などをフックに掛けて置けば地震の揺れでも簡単にフックから脱落しない、人の手で簡単に取り外せるフックに関する。
【背景技術】
【０００２】
従来からあるフック、特開２００１―３３６２９２号に掛けた場合、引っ掛けておく事が目的のため、物が、揺れや、地震によって、フックから外れて、落ちた拍子に商品に傷がついて売り物にならなくなることが多々あった。
フックに掛けた物が何処かに行ってしまって、紛失する問題点がよくあった。
そのため、物を掛ける所の出口を上から押えれば、中から飛び出ることを少なくし、手間や、不良品を出すことを極力少なくすることを目的とする。
【先行技術文献】
【特許文献】
【０００３】
【特許文献１】特開２００１―３３６２９２号公報
【考案の概要】
【考案が解決しようとする課題】
【０００４】
しかしながら、上記特開２００１―３３６２９２号公報に記載の吊り金具は、吊り金具の上部が開いているので、地震の際、落下しやすいという問題があった。そこで、本考案の目的は地震の揺れでは簡単にフックから脱落しない物で、引掛け物を取り出す時は、人の手で簡単に取り外すことが可能なフックを提供する事を目的とする。
【課題を解決するための手段】
【０００５】
引掛け物を引掛けるためのフックであって、該フックは、引掛け部材と該引掛け部材の後端部に連接して設けられる支持部材と、該支持部材の後部に設けられている取り付け部材と、押え部材と、弾性部材からなるフックであって、前記押え部材の先端部は引掛け部材の先端部と当接し後端部は前記弾性部材を備えた連結部を介して支持部材と連接されており、フックの開時に押え部材先端部が引掛け部材の先端部を離間する方向に負荷を受け前記弾性部材が弾性変形し、フックの閉時に前記負荷が解除され弾性部材の付勢力により押え部材の先端部が引掛け部材先端部に当接することを特徴とするフックによって解決した。
【図面の簡単な説明】
【０００６】
【図１】図１は本考案のフックの第一実持形態を示す。図１の（ａ）はフック閉時における側面図である。図１の（ｂ）はフック開時における側面図である。図１の（ｃ）は図１の（ｂ）のＡ部の拡大詳細図である。
【図２】図２は本考案のフックの第二実持形態を示す。図２の（ａ）はフック閉時における側面図である。図２の（ｂ）はフック開時における側面図である。図２の（ｃ）は図２の（ｂ）のＢ部の拡大詳細図である。
【図３】図３は本考案のフックの第三実持形態を示す。図３の（ａ）はフック閉時における側面図である。図３の（ｂ）はフック開時における側面図である。図３の（ｃ）は図３の（ｂ）のＣ部の拡大詳細図である。
【図４】図４は本考案のフックの第四実持形態を示す。図４の（ａ）はフック閉時における側面図である。図４の（ｂ）はフック開時における側面図である。図４の（ｃ）は図４の（ｂ）のＤ部の拡大詳細図である。
【図５】図５は本考案のフックを壁面に取り付けた状態を示す斜視図である。
【図６】図６は本考案のフックの使用状態を示す斜視図である。
【考案を実施するための形態】
【０００７】
第一実施形態のフック１１は、引掛け物Ｎを引掛けるためのフックＫＦであって、該フックＫＦは、引掛け部材Ｍと該引掛け部材の後端部Ｍ２に連接して設けられる支持部材Ｈ、（支持部材Ｈは横後部部材Ｃ２と縦部材Ｄからなる）と、該支持部材Ｈの後部に設けられている取り付け部材Ｌと、押え部材Ｆと、弾性部材ＹからなるフックＫＦであって、（横前部材Ｃ１押え部材先端部Ｆ１押え部材後端部からなる）、押え部材の先端部Ｆ１は引掛け部材の先端部Ｍ１と当接し後端部は前記弾性部材Ｙを備えた連結部Ｊを介して支持部材Ｈと連接されており、フックＫＦの開時に押え部材先端部Ｆ１が引掛け部材の先端部Ｍ１を離間する方向に負荷を受け弾性部材Ｙが弾性変形し当接部Ｑが離間し開口部が形成され、フックＫＦの閉時に負荷が解除され弾性部材Ｙの付勢力により押え部材先端部Ｆ１が引掛け部材の先端部Ｍ１に当接する方向に付勢され当接部Ｑが形成されることを特徴とするフックＫＦ、弾性部材Ｙが板ばねＢであり引掛け部材Ｍが横部材Ｃと縦部材Ｄからなる側面視Ｌ型形状からなり前記押え部材後端部Ｆ２と支持部材Ｈとの間に板ばねＢが設けられており、フックＫＦの開時に押え部材先端部Ｆ１が上方への負荷を受け、フックＫＦの閉時に押え部材先端部Ｆ１が下方へ付勢されていることを特徴とするフックＫＦ。
【０００８】
第二実施形態のフック２１は、引掛け物Ｎを引掛けるためのフックＫＦであって、該フックＫＦは、引掛け部材Ｍと該引掛け部材の後端部Ｍ２に連接して設けられる支持部材Ｈ（支持部材Ｈは横後部部材Ｃ２と縦部材Ｄからなる）と、該支持部材Ｈの後部に設けられている取り付け部材Ｌと、押え部材Ｆと、弾性部材ＹからなるフックＫＦであって、（横前部材Ｃ１押え部材先端部Ｆ１押え部材後端部からなる）、押え部材の先端部Ｆ１は引掛け部材の先端部Ｍ１と当接し後端部は前記弾性部材Ｙを備えた連結部Ｊを介して支持部材Ｈと連接されており、フックＫＦの開時に押え部材先端部Ｆ１が引掛け部材の先端部Ｍ１を離間する方向に負荷を受け弾性部材Ｙが弾性変形し当接部Ｑが離間し開口部が形成され、フックＫＦの閉時に負荷が解除され弾性部材Ｙの付勢力により押え部材先端部Ｆ１が引掛け部材の先端部Ｍ１に当接する方向に付勢され当接部Ｑが形成されることを特徴とするフックＫＦ、弾性部材ＹがねじりばねＲであり引掛け部材Ｍが横部材Ｃと縦部材Ｄからなる側面視略Ｌ型形状からなり、押え部材後端部Ｆ２と支持部材Ｈとの間にねじりばねＲが設けられており、押え部材後端部Ｆ２と支持部材Ｙとをつなぐ連結部ＪがピンＰを回転の軸芯とする嵌合凸部Ｊ１とそれに嵌合する嵌合凹部Ｊ２の嵌合回転により押え部材先端部Ｆ１が回転しねじりばねＲの弾性変形によりフックＫＦ開時に押え部材先端部Ｆ１が引掛け部材の先端部Ｍ１から離間し、開口部ＯＰが形成されフックＫＦ閉時に前記ねじりばねＲの付勢力により押え部材先端部Ｆ１が引掛け部材の先端部Ｍ１に当接し、当接部Ｑが形成されることを特徴とするフックＫＦ。
【０００９】
第三実施形態のフック３１は、引掛け物Ｎを引掛けるためのフックＫＦであって、該フックＫＦは、引掛け部材Ｍと該引掛け部材の後端部Ｍ２に連接して設けられる支持部材Ｈ（支持部材Ｈは横後部部材Ｃ２と縦部材Ｄからなる）と、該支持部材Ｈの後部に設けられている取り付け部材Ｌと、押え部材Ｆと、弾性部材ＹからなるフックＫＦであって、（横前部材Ｃ１押え部材先端部Ｆ１押え部材後端部からなる）、押え部材Ｆは横部材Ｃと縦上部部材Ｄ１からなる、押え部材の先端部Ｆ１は引掛け部材の先端部Ｍ１と当接し後端部は弾性部材Ｙを備えた連結部Ｊを介して支持部材Ｈと連接されており、支持部材Ｈは縦下部部材Ｄ２で、フックＫＦの開時に押え部材先端部Ｆ１が引掛け部材の先端部Ｍ１を離間する方向に負荷を受け弾性部材Ｙが弾性変形し当接部Ｑが離間し開口部が形成され、フックＫＦの閉時に負荷が解除され弾性部材Ｙの付勢力により押え部材先端部Ｆ１が引掛け部材の先端部Ｍ１に当接する方向に付勢され当接部Ｑが形成されることを特徴とするフックＫＦ、弾性部材Ｙが引きばねＳであり引掛け部材Ｍ横部材Ｃと縦部材Ｄからなる側面視略Ｌ型形状からなり押え部材後端部Ｆ２と引掛け部材Ｍとの間に引きばねＳが設けられており、押え部材後端部Ｆ２とをつなぐ連結部Ｊが蝶番Ｔによって連結され該蝶番Ｔを回転の軸芯とし押え部材先端部が回転し引きばねＳの弾性変形によりフッＫＦク開時に開口部ＯＰが形成されフックＫＦ閉時に引きばねＳの付勢力により当接部Ｑが形成されることを特徴とするフックＫＦ。
【００１０】
第四実施形態のフック４１は、引掛け物Ｎを引掛けるためのフックＫＦであって、該フックＫＦは、引掛け部材Ｍと該引掛け部材の後端部Ｍ２に連接して設けられる支持部材Ｈ（支持部材Ｈは横後部部材Ｃ２と縦部材Ｄからなる）と、該支持部材Ｈの後部に設けられている取り付け部材Ｌと、押え部材Ｆと、弾性部材ＹからなるフックＫＦであって、（横前部材Ｃ１押え部材先端部Ｆ１押え部材後端部からなる）、押え部材の先端部Ｆ１は引掛け部材の先端部Ｍ１と当接し後端部は前記弾性部材Ｙを備えた連結部Ｊを介して支持部材Ｈと連接されており、フックＫＦの開時に押え部材先端部Ｆ１が引掛け部材の先端部Ｍ１を離間する方向に負荷を受け弾性部材Ｙが弾性変形し当接部Ｑが離間し開口部が形成され、フックＫＦの閉時に負荷が解除され弾性部材Ｙの付勢力により押え部材先端部Ｆ１が引掛け部材の先端部Ｍ１に当接する方向に付勢され当接部Ｑが形成されることを特徴とするフックＫＦ、弾性部材ＹがねじりばねＲであり引掛け部が側面視略Ｉ型形状の横部材Ｃからなり押え部材Ｍ上端部と支持部材Ｙとをつなぐ連結部ＪがピンＰを回転の軸芯とする嵌合凸部Ｊ１とそれに嵌合する嵌合凹部Ｊ２の嵌合回転により押え部材Ｆ下端部が回動かしねじりばねＲの弾性変形によりフックＫＦ開時に押え部材Ｆ下端部が引掛け部材の先端部Ｍ１から離間して、開口部ＯＰが形成されフックＫＦ閉時にねじりばねＲの付勢力により押え部材Ｆ１下端部が引掛け部材の先端部Ｍ１に当接して、当接部Ｑが形成されることを特徴とするフックＫＦ。
【００１１】
後ろの取り付け部材Ｌは壁Ｗ以外にも固定するため、壁面取り付け部材Ｇを使い取り付けられるようにし、取り付け部材Ｌは、ネジにするだけでなく、引掛けるタイプ、後ろの部分を大きくして、ネジ穴、又は釘穴を作り、頑丈に付けるタイプ、後ろにナットを付けボルトで固定するタイプ、ボルトを付けナットで付けるタイプ、後ろにボルトを通す部分を作りボルトとナットで付けるタイプ、上下又は左右で挟んで押えるタイプなど様々なものがある。
【００１２】
取り付けの部分は、使う場所によって変わってしまうため、多種多様である。
【００１３】
本品は、引掛け部材Ｍの出口を押えることによって、中の物が外に、落ないようにすることにある、フックＫＦの所を押えることによって、押えている部分で、中の物が押えられる、引掛け部材Ｍに掛けている物が揺れや、地震で、フックＫＦから簡単に落ちない。
【００１４】
フックＫＦから落なければ、商品に傷がつく、商品を拾い元に戻すという労力が無くなるため、仕事に支障をきたすことを少なくできる。
【００１５】
引掛け部材Ｍを上から押え部材Ｆは、引掛け部材Ｍと同じ長さ、又はそれよりも長い又は短い。
【００１６】
ばねは、普通のばねや、引きばねＳ、ねじりばねＲ、素材そのものの戻ろうとする力を利用して戻る。
【００１７】
フックＫＦを使用する際、下記の手順とする、
１）引掛け物をフックＫＦに引掛ける際、押え部材Ｆの先端部を保持し、
２）押え部材先端部Ｆ１が引掛け部材先端部を離間する方向に弾性部材Ｙに負荷をかけ、
３）フックＫＦに開口部ＯＰをもうけ、
４）引掛け物Ｎを引掛け、
５）押え部材Ｆの負荷を解除し、
６）押え部材の先端部Ｆ１と引掛け部材の先端部Ｍ１を当接させて当接部Ｑを形成させ引掛けを完了させる、
７）引掛け物ＮをフックＫＦから外す際、押え部材先端部Ｆ１を保持し、
８）押え部材先端部Ｆ１が引掛け部材の先端部Ｍ１を離間する方向に弾性部材Ｙに負荷をかけ、
９）フックＫＦに開口部ＯＰをもうけ、
１０）引掛け物Ｎを引掛け部材Ｍから取り出す、
１１）押え部材Ｆの負荷を解除し、
１２）押え部材先端部Ｆ１と引掛け部材の先端部Ｍ１を当接させて当接部Ｑを形成させ、取外しを完了させる、以上の手順とすることを特徴とするフックＫＦの使用方法。
【００１８】
使用方法を簡単に説明する、フックＫＦの開時に押え部材先端部Ｆ１が引掛け部材の先端部Ｍ１を離間する方向に負荷を受け前記弾性部材Ｙが弾性変形し当接部Ｑが離間し開口部ＯＰが形成され、フックＫＦの閉時に前記負荷が解除され弾性部材Ｙの付勢力により押え部材の先端部Ｆ１が引掛け部材の先端部Ｍ１に当接する方向に付勢され当接部Ｑが形成される。
【００１９】
フックＫＦへの引掛け物Ｎの例として、レンチを掛けて置けば引掛け部材Ｍの出口を押え部材Ｆで押えることによって、中の物が外に、落ないようにすることにある。
【００２０】
フックＫＦへの引掛け物Ｎの例として、フックＫＦに引掛けて販売する商品をこのフックＫＦに掛けて置けば、引掛け部材Ｍの出口を押え部材Ｆで押えることによって、中の物が外に、落ないようにすることができる。
【００２１】
フックＫＦへの引掛け物Ｎの例として、鍵Ｋや小物をフックＫＦに掛けて置けば引掛け部材Ｍの出口を押え部材Ｆで押えることによって、中の物が外に、落ないため無くすことが従来のフックＫＦより少ない。
【産業上の利用可能性】
【００２２】
フックに掛けた物が地震や、揺れによって、落下、破損、紛失を防ぐことにより損失を減らす効果が期待できるので、産業上有用である。
【符号の説明】
【００２３】
１１    第一実持形態のフック
２１    第二実持形態のフック
３１    第三実持形態のフック
４１    第四実持形態のフック
Ｂ      板ばね
Ｃ      横部材
Ｃ１    横前部部材
Ｃ２    横後部部材
Ｄ      縦部材
Ｄ１    縦上部部材
Ｄ２    縦下部部材
Ｆ      押え部材
Ｆ１    押え部材先端部
Ｆ２    押え部材後端部
Ｇ      壁面取り付け部材
Ｈ      支持部材
Ｊ      連結部
Ｊ１    嵌合凸部
Ｊ２    嵌合凹部
Ｋ      鍵
ＫＦ    フック
Ｌ      取り付け部材
Ｍ      引掛け部材
Ｍ１    引掛け部材の先端部
Ｍ２    引掛け部材の後端部
Ｎ      引掛け物
ＯＰ    開口部
Ｐ      ピン
Ｑ      当接部
Ｒ      ねじりばね
Ｓ      引きばね
Ｔ      蝶番
Ｗ      壁
Ｙ      弾性部材
【図１】
0003181887.tif 000003
【図２】
0003181887.tif 000004
【図３】
0003181887.tif 000005
【図４】
0003181887.tif 000006
【図５】
0003181887.tif 000007
【図６】
0003181887.tif 000008
【手続補正書】
【提出日】平成24年12月6日(2012.12.6)
【手続補正１】
【補正対象書類名】実用新案登録請求の範囲
【補正対象項目名】全文
【補正方法】変更
【補正の内容】
【実用新案登録請求の範囲】
【請求項１】
引掛け物を引掛けるためのフックであって、該フックは、引掛け部材と該引掛け部材の後端部に連接して設けられる支持部材と、該支持部材の後部に設けられている取り付け部材と、押え部材と、弾性部材からなるフックであって、前記押え部材の先端部は引掛け部材の先端部と当接し後端部は前記弾性部材を備えた連結部を介して支持部材と連接されており、フックの開時に押え部材先端部が引掛け部材の先端部を離間する方向に負荷を受け前記弾性部材が弾性変形し、フックの閉時に前記負荷が解除され弾性部材の付勢力により押え部材の先端部が引掛け部材先端部に当接することを特徴とするフック。
【請求項２】
前記弾性部材が板ばねであり引掛け部材が横部材と縦部材からなる側面視Ｌ型形状からなり前記押え部材後端部と支持部材との間に前記板ばねが設けられており、フックの開時に押え部材の先端部が上方への負荷を受け、フックの閉時に押え部材先端部が下方へ付勢されることを特徴とする請求項１に記載のフック。
【請求項３】
前記弾性部材がねじりばねであり引掛け部材が横部材と縦部材からなる側面視略Ｌ型形状からなり前記押え部材後端部と支持部材との間に前記ねじりばねが設けられており、前記押え部材後端部と前記支持部材とをつなぐ前記連結部がピンを回転の軸芯とする嵌合凸部とそれに嵌合する嵌合凹部の嵌合回転により前記押え部材先端部が回転し前記ねじりばねの弾性変形によりフック開時に押え部材先端部が引掛け部材の先端部から離間し、開口部が形成されフック開時に開口部が形成されフック閉時に前記ねじりばねの付勢力により押え部材先端部が引掛け部材の先端部に当接し、当接部が形成されることを特徴とする請求項１に記載のフック。
【請求項４】
前記弾性部材が引きばねであり引掛け部材が横部材と縦部材からなる側面視略Ｌ型形状からなり前記押え部材後端部と引掛け部材との間に前記引きばねが設けられており、前記押え部材後端部とをつなぐ前記連結部が蝶番によって連結され該蝶番を回転の軸芯とし前記押え部材の先端部が回転し前記引きばねの弾性変形によりフック開時に開口部が形成されフック閉時に引きばねの付勢力により当接部が形成されることを特徴とする請求項１に記載のフック。
【請求項５】
前記弾性部材がねじりばねであり引掛け部材が側面視略Ｉ型形状の横部材からなり前記押え部材上端部と前記支持部材とをつなぐ前記連結部がピンを回転の軸芯とする嵌合凸部とそれに嵌合する嵌合凹部の嵌合回転により前記押え部材下端部が回動し前記ねじりばねの弾性変形によりフック開時に押え部材下端部が引掛け部材の先端部から離間して、開口部が形成されフック閉時にねじりばねの付勢力により押え部材下端部が引掛け部材の先端部に当接して、当接部が形成されることを特徴とする請求項１に記載のフック。
【請求項６】
前記引掛け物が鍵であることを特徴とする請求項１〜５のいずれかに記載のフック。
【手続補正書】
【提出日】平成25年1月22日(2013.1.22)
【手続補正１】
【補正対象書類名】明細書
【補正対象項目名】０００６
【補正方法】変更
【補正の内容】
【０００６】
【図１】図１は本考案のフックの第一実施形態を示す。図１の（ａ）はフック閉時における側面図である。図１の（ｂ）はフック開時における側面図である。図１の（ｃ）は図１の（ｂ）のＡ部の拡大詳細図である。
【図２】図２は本考案のフックの第二実施形態を示す。図２の（ａ）はフック閉時における側面図である。図２の（ｂ）はフック開時における側面図である。図２の（ｃ）は図２の（ｂ）のＢ部の拡大詳細図である。
【図３】図３は本考案のフックの第三実施形態を示す。図３の（ａ）はフック閉時における側面図である。図３の（ｂ）はフック開時における側面図である。図３の（ｃ）は図３の（ｂ）のＣ部の拡大詳細図である。
【図４】図４は本考案のフックの第四実施形態を示す。図４の（ａ）はフック閉時における側面図である。図４の（ｂ）はフック開時における側面図である。図４の（ｃ）は図４の（ｂ）のＤ部の拡大詳細図である。
【図５】図５は本考案のフックを壁面に取り付けた状態を示す斜視図である。
【図６】図６は本考案のフックの使用状態を示す斜視図である。
【手続補正２】
【補正対象書類名】明細書
【補正対象項目名】００２３
【補正方法】変更
【補正の内容】
【００２３】
１１    第一実施形態のフック
２１    第二実施形態のフック
３１    第三実施形態のフック
４１    第四実施形態のフック
Ｂ      板ばね
Ｃ      横部材
Ｃ１    横前部部材
Ｃ２    横後部部材
Ｄ      縦部材
Ｄ１    縦上部部材
Ｄ２    縦下部部材
Ｆ      押え部材
Ｆ１    押え部材先端部
Ｆ２    押え部材後端部
Ｇ      壁面取り付け部材
Ｈ      支持部材
Ｊ      連結部
Ｊ１    嵌合凸部
Ｊ２    嵌合凹部
Ｋ      鍵
ＫＦ    フック
Ｌ      取り付け部材
Ｍ      引掛け部材
Ｍ１    引掛け部材の先端部
Ｍ２    引掛け部材の後端部
Ｎ      引掛け物
ＯＰ    開口部
Ｐ      ピン
Ｑ      当接部
Ｒ      ねじりばね
Ｓ      引きばね
Ｔ      蝶番
Ｗ      壁
Ｙ      弾性部材